(57)【要約】      （修正有）【課題】立体的に写真を飾ることができるフォトフレームを提供する。【解決手段】フォトフレームＦは、立体形状の本体１と、この本体１の前面に設けられると共に、写真２を付着する付着部とを備え、本体１の側面を載置面４に当接して、本体１は、立設するものである。【選択図】図１
0003224030.tif 000002
【実用新案登録請求の範囲】
【請求項１】
立体形状の本体と、
この本体の前面に設けられると共に、写真を付着する付着部とを備え、
前記本体の側面を載置面に当接して、前記本体は、立設する
ことを特徴とするフォトフレーム。
【請求項２】
直方体形状の本体と、
この本体の前面に設けられると共に、写真を付着する付着部とを備え、
前記本体の側面を載置面に当接して、前記本体は、立設する
ことを特徴とするフォトフレーム。
【請求項３】
直方体形状の本体と、
この本体の前面に設けられると共に、写真を付着する付着部と、
壁に取り付けられれると共に、係合部を有する取り付け部材と、
前記本体の裏面に設けられると共に、前記係合部に係合される被係合部とを備えている
ことを特徴とするフォトフレーム。
【請求項４】
直方体形状の本体と、
この本体の前面に設けられると共に、写真を付着する付着部と、
壁に取り付けられれると共に、被係合部を有する取り付け部材と、
前記本体の裏面に設けられると共に、前記被係合部に係合する係合部とを備えている
ことを特徴とするフォトフレーム。
【請求項５】
本体は、正面視、四角形で、
前記本体に付着した写真は、正面視、前記四角形と同一の四角形で、前記写真が前記本体からはみ出していない
ことを特徴とする請求項１〜４のいずれかに記載のフォトフレーム。
【請求項６】
本体は、正面視、前面側枠部と、この前面側枠部に接続された上側面部と、この上側側面に接続されると共に、前記前面側枠部に接続された右側側面部と、前記上側側面に接続されると共に、前記前面側枠部に接続された左側側面部と、この左側側面部及び前記右側側面部に接続されると共に、前記前側面枠部に接続された下側側面部とを有し、
前記上側側面部は前記下側側面部に、前記右側側面部は前記左側側面部に、それぞれ対向し、前記前面側枠部に対向する前記本体の面は、開放されている
ことを特徴とする請求項３又は請求項４記載のフォトフレーム。
【請求項７】
前面側枠部は、正面視、時計回りに、第１の直線部、第２の直線部、第３の直線部、第４の直線部を有し、
前記第１の直線部が前記第３の直線部に、前記第２の直線部が前記第３の直線部に、それぞれ対向し、
前記第１の直線部と前記第３の直線部は第１の接続部で接続され、
前記第２の直線部と前記第４の直線部は第２の接続部で接続されている    ことを特徴とする請求項６記載のフォトフレーム。
【考案の詳細な説明】
【技術分野】
【０００１】
本考案は、フォトフレームに係り、特に、立体的に写真を飾ることができるフォトフレームに関する。
【背景技術】
【０００２】
従来、任意の角度に保持して掲示することのできるフォトフレーム保持スタンドを有したフォトフレームがある（特許文献１参照）。
このフォトフレームにあっては、デザイン性に優れ展示物を引き立たせ、且つフォトフレーム及び角度を消費者の目線に合わせることができるようになっている。
【先行技術文献】
【特許文献】
【０００３】
【特許文献１】特開２０１９−７２４４９号公報
【考案の概要】
【考案が解決しようとする課題】
【０００４】
ところが、上記フォトフレームにあっては、フォトフレームの厚みが薄いため、立体的に写真を飾れないという問題点が生じた。
【０００５】
本考案は、上記の問題点を考慮してなされたフォトフレームを提供することにある。
【課題を解決するための手段】
【０００６】
請求項１記載のフォトフレームは、立体形状の本体と、この本体の前面に設けられると共に、写真を付着する付着部とを備え、前記本体の側面を載置面に当接して、前記本体は、立設するものである。
【０００７】
また、請求項２記載のフォトフレームは、直方体形状の本体と、この本体の前面に設けられると共に、写真を付着する付着部とを備え、前記本体の側面を載置面に当接して、前記本体は、立設するものである。
【０００８】
また、請求項３記載のフォトフレームは、直方体形状の本体と、この本体の前面に設けられると共に、写真を付着する付着部と、壁に取り付けられると共に、係合部を有する取り付け部材と、前記本体の裏面に設けられると共に、前記係合部に係合される被係合部とを備えているものである。
【０００９】
また、請求項４記載のフォトフレームは、直方体形状の本体と、この本体の前面に設けられると共に、写真を付着する付着部と、壁に取り付けられると共に、被係合部を有する取り付け部材と、前記本体の裏面に設けられると共に、前記被係合部に係合する係合部とを備えているものである。
【００１０】
また、請求項５記載のフォトフレームは、請求項１〜４のいずれかに記載のフォトフレームにおいて、本体は、正面視、四角形で、前記本体に付着した写真は、正面視、前記四角形と同一の四角形で、前記写真が前記本体からはみ出していないものである。
【００１１】
また、請求項６記載のフォトフレームは、請求項３又は請求項４記載のフォトフレームにおいて、本体は、正面視、前面側枠部と、この前面側枠部に接続された上側面部と、この上側側面に接続されると共に、前記前面側枠部に接続された右側側面部と、前記上側側面に接続されると共に、前記前面側枠部に接続された側左側面部と、この左側側面部及び前記右側側面部に接続されると共に、前記前側面枠部に接続された下側側面部とを有し、前記上側側面部は前記下側側面部に、前記右側側面部は前記左側側面部に、それぞれ対向し、前記前面側枠部に対向する前記本体の面は、開放されているものである。
【００１２】
また、請求項７記載のフォトフレームは、請求項６記載のフォトフレームにおいて、前面側枠部は、正面視、時計回りに、第１の直線部、第２の直線部、第３の直線部、第４の直線部を有し、前記第１の直線部が前記第３の直線部に、前記第２の直線部が前記第３の直線部に、それぞれ対向し、前記第１の直線部と前記第３の直線部は第１の接続部で接続され、前記第２の直線部と前記第４の直線部は第２の接続部で接続されているものである。
【考案の効果】
【００１３】
請求項１記載のフォトフレームによれば、立体形状の本体の側面を載置面に当接して、前記本体は、立設するため、ボックスタイプのフォトフレームを形成し、立体的に写真を飾ることができ、しかも、フォトフレーム自身で載置面に安定して立設することができる。
【００１４】
また、請求項２記載のフォトフレームによれば、直方体形状の本体の側面を載置面に当接して、前記本体は、立設するため、ボックスタイプのフォトフレームを形成し、立体的に写真を飾ることができ、しかも、フォトフレーム自身で載置面に安定して立設することができる。
【００１５】
また、 請求項３記載のフォトフレームによれば、直方体形状の本体を壁に取り付けることができるため、ボックスタイプのフォトフレームを形成し、立体的に写真を飾ることができる。
【００１６】
また、 請求項４記載のフォトフレームによれば、直方体形状の本体を壁に取り付けることができるため、ボックスタイプのフォトフレームを形成し、立体的に写真を飾ることができる。
【００１７】
また、 請求項５記載のフォトフレームによれば、上述した請求項１〜４のいずれかに記載の考案の効果に加え、本体は、正面視、四角形で、前記本体に付着した写真は、正面視、前記四角形と同一の四角形で、前記写真が前記本体からはみ出していないため、フレームがなく、写真をすっきりと飾ることができる。
【００１８】
また、 請求項６記載のフォトフレームによれば、上述した請求項３又は請求項４記載の考案の効果に加え、本体は、正面視、前面側枠部と、この前面側枠部に接続された上側面部と、この上側側面に接続されると共に、前記前面側枠部に接続された右側側面部と、前記上側側面に接続されると共に、前記前面側枠部に接続された左側側面部と、この左側側面部及び前記右側側面部に接続されると共に、前記前側面枠部に接続された下側側面部とを有し、前記上側側面部は前記下側側面部に、前記右側側面部は前記左側側面部に、それぞれ対向し、前記前面側枠部に対向する前記本体の面は、開放されているため、本体を軽くすることができ、特に、本体を壁掛けとした場合、壁、被係合部、係合部への負担を軽減して、本体を壁に設置することができる。
【００１９】
また、 請求項７記載のフォトフレームによれば、上述した請求項６記載の考案の効果に加え、第１の直線部と第３の直線部は第１の接続部で接続され、第２の直線部と第４の直線部は第２の接続部で接続されているため、前面側枠部を強くすることができる。
【図面の簡単な説明】
【００２０】
【図１】図１は、本考案の一実施例のフォトフレームの概略的図である。
【図２】図２は、図１のフォトフレームと異なる方法で展示するために、取り付け部材を壁にピンで固定する状態を示す概略的図である。
【図３】図３は、本体に写真を付着する前の状態を示す概略的図である。
【図４】図４は、図２の取り付け部材に図３の写真が付着した本体を取り付ける前の状態を示す概略的図である。
【図５】図５は、図２の取り付け部材に図３の写真が付着した本体を取り付けた状態を示す概略的図である。
【図６】図６は、本考案の一実施例のフォトフレームを壁に横長に展示した状態を示す概略的図である。
【図７】図７は、本考案の一実施例のフォトフレームを壁に縦長に展示した状態を示す概略的図である。
【考案を実施するための形態】
【００２１】
本考案の一実施例のフォトフレームを図１乃至図７を参照して説明する。
【００２２】
図１に示すＦはフォトフレームで、フォトフレームＦは、直方体形状の本体１と、この本体１（本体１の厚みは、例えば、３０ｍｍ）の前面に設けられると共に、写真２を付着する付着部（付着部は、図示しないが、図３の付着部３と同様のもので、例えば、再剥離性の粘着剤である。）とを備え、本体１の側面を載置面４に当接して、本体１は、立設するようになっている（図１参照）。
そのため、ボックスタイプのフォトフレームＦを形成し、立体的に写真２を飾ることができ、しかも、フォトフレームＦ自身で載置面４に安定して立設することができる。
【００２３】
なお、本体１は、正面視、四角形で、本体１に付着した写真２は、正面視、前記四角形と同一の四角形で、図１に示すように、写真２が本体１からはみ出さないようにする。
その結果、フレームがなく、写真２をすっきりと飾ることができる。
【００２４】
次に、図２乃至図５を参照して、以下説明する。図２に示す５は、壁６に取り付けられると共に、係合部５１を有する取り付け部材で、取り付け部材５は、壁６にピン７で取り付けられる。
係合部５１は、例えば、図２に示す二つのＵ字状の部材である。
図４に示す１１は、本体１に設けられると共に、係合部５１に係合される被係合部である。
被係合部１１は、例えば、上側面部１Ｂの裏面、下側側面部１Ｅの裏面である。
従って、本体１の被係合部１１に壁６に取り付けられた取り付け部材５の係合部５１に係合させて、本体１を壁６に取り付けることができる（図５参照）。
その結果、ボックスタイプのフォトフレームＦを形成し、立体的に写真２を飾ることができる。
なお、取り付け部材５は、プラスチックで形成されているため、係合部５１にプラスチックによる弾性を持たせ、本体１の被係合部１１に係合部５１の弾性力に抗して、係合部５１を被係合部１１に係合させるようにしている。
【００２５】
上記実施例では、取り付け部材５に係合部５１、本体１に被係合部１１を設けたが、本願考案にあっては、これに限らず、逆に、取り付け部材５に被係合部、本体１に係合部を設けるようにしても良い。
【００２６】
なお、本体１は、図３に示すように、正面視、前面側枠部１Ａと、この前面側枠部１Ａに接続された上側面部１Ｂと、この上側側面１Ｂに接続されると共に、前面側枠部１Ａに接続された右側側面部１Ｃと、上側側面１Ｂに接続されると共に、前面側枠部１Ａに接続された左側側面部１Ｄと、この左側側面部１Ｄ及び右側側面部１Ｃに接続されると共に、前側面枠部１Ａに接続された下側側面部１Ｅとを有し、上側側面部１Ｂは下側側面部１Ｅに、右側側面部１Ｃは左側側面部１Ｄに、それぞれ対向し、前面側枠部１Ａに対向する本体１の面は、開放されている。
特に、本体１を壁掛けとした場合、壁６、被係合部１１、係合部５１への負担を軽減して、本体１を壁６に設置することができる。
【００２７】
また、前面側枠部１Ａは、図３に示すように、正面視、時計回りに、第１の直線部１Ａ１、第２の直線部１Ａ２、第３の直線部１Ａ３、第４の直線部１Ａ４を有し、第１の直線部１Ａ１が第３の直線部１Ａ３に、第２の直線部１Ａ２が第３の直線部１Ａ３に、それぞれ対向し、第１の直線部１Ａ１と第３の直線部１Ａ３は第１の接続部１Ｘで接続され、第２の直線部１Ａ２と第４の直線部１Ａ４は第２の接続部１Ｙで接続されている。そのため、前面側枠部１Ａを強くすることができる。
なお、図６は、フォトフレームＦを壁６に横長に展示した状態を、図７は、フォトフレームＦを壁６に縦長に展示した状態を、それぞれ示している。
【００２８】
上述した実施例においては、本体１を直方体形状としたが、本願考案は、これに限らず、例えば、断面が、円、略円、楕円、略楕円、鶏卵に似た形又は二つの等しい長さの平行線と二つの半円形からなる形状等のオーバル等の立体形状の本体であっても良い。
なお、図３記載の写真２は、本体１の前面と同じ大きさの四角形で、説明の便宜のため模式的に図示されている。
【符号の説明】
【００２９】
Ｆ      フォトフレーム
１      本体
２      写真
３      付着部
４      載置面
【図１】
0003224030.tif 000003
【図２】
0003224030.tif 000004
【図３】
0003224030.tif 000005
【図４】
0003224030.tif 000006
【図５】
0003224030.tif 000007
【図６】
0003224030.tif 000008
【図７】
0003224030.tif 000009
【手続補正書】
【提出日】令和1年9月19日(2019.9.19)
【手続補正１】
【補正対象書類名】実用新案登録請求の範囲
【補正対象項目名】請求項６
【補正方法】変更
【補正の内容】
【請求項６】
本体は、正面視、前面側枠部と、この前面側枠部に接続された上側面部と、この上側面部に接続されると共に、前記前面側枠部に接続された右側側面部と、前記上側面部に接続されると共に、前記前面側枠部に接続された左側側面部と、この左側側面部及び前記右側側面部に接続されると共に、前記前面側枠部に接続された下側側面部とを有し、
前記上側面部は前記下側側面部に、前記右側側面部は前記左側側面部に、それぞ
れ対向し、前記前面側枠部に対向する前記本体の面は、開放されている
ことを特徴とする請求項３又は請求項４記載のフォトフレーム。
【手続補正２】
【補正対象書類名】明細書
【補正対象項目名】００１１
【補正方法】変更
【補正の内容】
【００１１】
また、請求項６記載のフォトフレームは、請求項３又は請求項４記載のフォトフレームにおいて、本体は、正面視、前面側枠部と、この前面側枠部に接続された上側面部と、この上側面部に接続されると共に、前記前面側枠部に接続された右側側面部と、前記上側面部に接続されると共に、前記前面側枠部に接続された左側側面部と、この左側側面部及び前記右側側面部に接続されると共に、前記前面側枠部に接続された下側側面部とを有し、前記上側面部は前記下側側面部に、前記右側側面部は前記左側側面部に、それぞれ対向し、前記前面側枠部に対向する前記本体の面は、開放されているものである。
【手続補正３】
【補正対象書類名】明細書
【補正対象項目名】００１８
【補正方法】変更
【補正の内容】
【００１８】
また、 請求項６記載のフォトフレームによれば、上述した請求項３又は請求項４記
載の考案の効果に加え、本体は、正面視、前面側枠部と、この前面側枠部に接続された上側面部と、この上側面部に接続されると共に、前記前面側枠部に接続された右側側面部と、前記上側面部に接続されると共に、前記前面側枠部に接続された左側側面部と、この左側側面部及び前記右側側面部に接続されると共に、前記前面側枠部に接続された下側側面部とを有し、前記上側面部は前記下側側面部に、前記右側側面部は前記左側側面部に、それぞれ対向し、前記前面側枠部に対向する前記本体の面は、開放されているため、本体を軽くすることができ、特に、本体を壁掛けとした場合、壁、被係合部、係合部への負担を軽減して、本体を壁に設置することができる。
【手続補正４】
【補正対象書類名】明細書
【補正対象項目名】００２６
【補正方法】変更
【補正の内容】
【００２６】
なお、本体１は、図３に示すように、正面視、前面側枠部１Ａと、この前面側枠部１
Ａに接続された上側面部１Ｂと、この上側面部１Ｂに接続されると共に、前面側枠部１Ａ
に接続された右側側面部１Ｃと、上側面部１Ｂに接続されると共に、前面側枠部１Ａに接
続された左側側面部１Ｄと、この左側側面部１Ｄ及び右側側面部１Ｃに接続されると共に
、前面側枠部１Ａに接続された下側側面部１Ｅとを有し、上側面部１Ｂは下側側面部１Ｅに、右側側面部１Ｃは左側側面部１Ｄに、それぞれ対向し、前面側枠部１Ａに対向する
本体１の面は、開放されている。
特に、本体１を壁掛けとした場合、壁６、被係合部１１、係合部５１への負担を軽
減して、本体１を壁６に設置することができる。